(57)【要約】      （修正有）【課題】工具伝動軸及び動力工具を提供する。【解決手段】動力工具に用いられる工具伝動軸は、伝動軸機能に応じて順次にインパクト域と、支持域３０２と、出力域３０３とを備え、前記インパクト域には、少なくとも１つのアンビル部３１と、少なくとも１つの弧凹部３２とが設けられ、前記出力域３０３は、前記動力工具の前端に貫通されている。前記工具伝動軸内に直線状を呈する注油通路３３が形成され、前記注油通路３３の両端は、それぞれ注油口３３１と、油出口３３２とを有し、前記注油口３３１は、出力域３０３に位置して、前記油出口３３２は、前記インパクト域に向かうと共に、当該インパクトブロック２２の貫通孔２２１と相互に連通し、前記注油通路３３の軸線と、前記工具伝動軸の軸線とが夾角を形成してなる。【選択図】図５
2019155587.tif 000002
【特許請求の範囲】
【請求項１】
回転座を有し、前記回転座に透孔が横方向に形成されると共に、前記透孔と相互に連通する支持開口が軸方向に形成され、前記透孔内に少なくとも１つのインパクトブロックが装着され、当該インパクトブロック内に貫通孔が軸方向に形成されているハンマー装置であり、動力工具に軸方向に装着されるためのハンマー装置中に位置する工具伝動軸であって、
伝動軸機能に応じて順次にインパクト域と、支持域と、出力域とを備え、
前記インパクト域には、少なくとも１つのアンビル部と、少なくとも１つの弧凹部とが設けられ、当該アンビル部と当該弧凹部との数は、当該インパクトブロックの数に応じて決定され、かつ前記少なくとも１つのアンビル部は、前記少なくとも１つのインパクトブロックに対応して設けられ、
前記出力域は、前記動力工具の前端に貫通されると共に、動力を出力するために供され、
直線状を呈して形成されている注油通路を備え、前記注油通路の両端は、それぞれ注油口と、油出口とを有し、前記注油口は、前記出力域に位置して、前記油出口は、前記インパクト域に向かうと共に、前記少なくとも１つのインパクトブロックの貫通孔と相互に連通し、直線状を呈する前記注油通路の軸線と、工具伝動軸軸線とが夾角を形成してなることを特徴とする、工具伝動軸。
【請求項２】
前記出力域と前記支持域との連結箇所に対して傾斜する連結面が設けられ、前記注油口は、前記連結面上に位置することを特徴とする、請求項１に記載の工具伝動軸。
【請求項３】
前記注油口は、外部から内部に向かって孔径が漸次縮径して錐状の断面構造を成していることを特徴とする、請求項２に記載の工具伝動軸。
【請求項４】
前記支持域は、円柱状に形成され、前記出力域は、多辺形柱の形状であり、前記注油口は、前記出力域の前記多辺形柱の稜線上に位置することを特徴とする、請求項１に記載の工具伝動軸。
【請求項５】
筐体を備える動力工具であって、
前記筐体は、機能に応じて握持部と、収容部とに区分され、前記収容部内にエネルギー源に連結されるモータが装着され、前記収容部の前端内部に動力を出力するためのハンマー装置が装着され、前記ハンマー装置は、前記モータに連設されると共に、前記モータにより駆動され、前記ハンマー装置中に動力を出力するための工具伝動軸が装着され、
前記ハンマー装置は、回転座を有し、前記回転座に透孔が横方向に形成されると共に、前記透孔と相互に連通する支持開口が軸方向に形成され、前記透孔内に少なくとも１つのインパクトブロックが装着され、当該インパクトブロック内に貫通孔が軸方向に形成され、
前記工具伝動軸は、伝動軸機能に応じて順次にインパクト域と、支持域と、出力域とを備え、
前記インパクト域には、少なくとも１つのアンビル部と、少なくとも１つの弧凹部とが設けられ、当該アンビル部と当該弧凹部との数は、当該インパクトブロックの数に応じて決定され、かつ前記少なくとも１つのアンビル部は、前記少なくとも１つのインパクトブロックに対応して設けられ、
前記出力域は、前記動力工具の前端に貫通されると共に、動力を出力するために供され、
前記工具伝動軸内に直線状を呈する注油通路が形成され、前記注油通路の両端は、それぞれ注油口と、油出口とを有し、前記注油口は、前記出力域に位置して、前記油出口は、前記インパクト域に向かうと共に、前記少なくとも１つのインパクトブロックの貫通孔と相互に連通し、直線状を呈する前記注油通路の軸線と、前記工具伝動軸の軸線とが夾角を形成してなることを特徴とする、動力工具。
【発明の詳細な説明】
【技術分野】
【０００１】
本発明は、動力工具に係り、特に動力工具及びその特殊な注油通路を備える工具伝動軸の斬新な構造設計に関するものである。
【背景技術】
【０００２】
動力工具の伝動軸の構造設計上、空気動工具（空気圧によるインパクト工具）を例として説明すると、その伝動軸の駆動区間と空気動工具のインパクト室との対応位置箇所には、通常、インパクト部品の潤滑を行ってその使用寿命を延長するために、潤滑油を注入する必要があり、空気動工具の使用時間の引き延ばしに伴い、かかる潤滑油が益々流失損耗してしまうので、空気動工具をある一定の時間に亘って使用した後には、内部に潤滑油の補充作業を行わなければならない。
【０００３】
しかしながら、従来の空気動工具は、内部に潤滑油の補充作業を行おうとすると、まず、外部部品の取り外しを行わない限り、潤滑油が空気動工具のインパクト室の内部に充填できないので、多大な時間がかかって不便である。このように、甚だしい時間と手間を要するのみならず、かつ関連部品の取り外し、再組み付け過程においても、人為的ミスのせいで、容易にその損壊リスクを高めることになる。
【０００４】
前述した問題点について、引き続いて関連業界がその伝動軸に注油口が設けられる別の従来の構造を研究開発したが、調査によりこの種の従来の構造には、依然としていくつかの問題と欠点が存在する。例を挙げて言えば、前記従来の構造の伝動軸に設けられる注油口は、通常、工具伝動軸の端部から内部に向かって工具伝動軸の軸線に沿って伝動軸のインパクト域に至るまで開設された後、油出口は、工具伝動軸の径方向に沿って設けられ、そして工具伝動軸の外壁まで延設されるものがほとんどである。このような注油通路の設置では、部品を取り外したくない場合でも、外部から直接注油することで、工具伝動軸の運転時に潤滑の働きを与えることが達成できる。
【発明の概要】
【発明が解決しようとする課題】
【０００５】
ただし、この従来使用していた工具伝動軸の注油口と油出口は、両者の間に必ず通常は垂直な夾角が存在するため、潤滑油を注油口から油出口に進入させると、相当の背圧を発生させることになる。潤滑油をインパクトブロックと工具伝動軸との間の空間に送り込むことが容易ではないのみならず、かつ注油口と油出口との開口間への加圧が不足したり、フィットが不完全となったりする場合、注油口の開口端の外縁は、背圧で滲み出した潤滑油によって汚染されやすく、当然のことながら塵埃や不純物などによる汚染が起こりやすく、甚だしい場合は注油口の閉塞を招きやすく、これによって使用上の不便さを惹起させると共に、効率が低下するおそれがある。
【０００６】
本発明の主要な目的は、特殊な注油通路を備える工具伝動軸を提供することにある。
【課題を解決するための手段】
【０００７】
本発明は、前述した目的に基づいて、動力工具に軸方向に装着されるハンマー装置中に位置する。
【０００８】
前記ハンマー装置は、回転座を有し、前記回転座に透孔が横方向に形成されると共に、支持開口が軸方向に形成され、その内、前記支持開口が前記透孔と相互に連通し、前記透孔内に少なくとも１つのインパクトブロックが装着され、当該インパクトブロック内に貫通孔が軸方向に形成される。
【０００９】
前記工具伝動軸は、伝動軸機能に応じて順次にインパクト域と、支持域と、出力域とを備えている。前記インパクト域には、少なくとも１つのアンビル部と、少なくとも１つの弧凹部とが設けられ、当該アンビル部と弧凹部との数は、当該インパクトブロックの数に応じて決定され、かつ前記少なくとも１つのアンビル部は、前記少なくとも１つのインパクトブロックに対応して設けられている。前記出力域は、前記動力工具の前端に設置された端蓋に貫通される。前記工具伝動軸内に直線状を呈する注油通路が形成され、前記注油通路の両端は、それぞれ注油口と、油出口とを有し、その内、前記注油口は、出力域に位置して、前記油出口は、前記インパクト域に向かうと共に、当該インパクトブロックの貫通孔と相互に連通し、直線状を呈する前記注油通路の軸線と、前記工具伝動軸の軸線とが夾角を形成してなる。
【発明の効果】
【００１０】
本発明は、錐状断面の注油口を含むので、注油の過程において、環状斜面の案内作用により、注油管の自由端縁を注油口の端面に完全にフィットさせることができるため、潤滑油の外部漏れ確率が低減できると同時に、外拡の錐状断面により、注油口は、異なる直径を持つ注油管に合わせて使用することができ、工具伝動軸の潤滑作業時の適用範囲を拡大することができる。
【図面の簡単な説明】
【００１１】
【図１】本発明の動力工具を装着した外観斜視図である。
【図２】前述した図１の部分分解斜視図である。
【図３】図１に示される動力工具のハンマー装置の分解斜視図である。
【図４】本発明の外観斜視図である。
【図５】本発明がハンマー装置中に装着された断面図である。
【図６】本発明の注油動作を示す模式図である。
【発明を実施するための形態】
【００１２】
図１と図２を参照すると、図示のように、本発明の好適な実施形態に開示した動力工具Ａ（例えばインパクト工具）は、筐体１０を備え、前記筐体１０は、その機能に応じて握持部１１と、収容部１２とに区分され、前記収容部１２内にモータ１３（例えば空気圧モータ）が装着され、前記モータ１３は、エネルギー源（未図示）に連結されるために供され、前記エネルギー源は、一般の電源であってもよいし、高圧気体源であってもよい。前記収容部１２の前端内部に動力を出力するためのハンマー装置２０が装着され、前記ハンマー装置２０は、前記モータ１３に連設されると共に、前記モータ１３により駆動され、前記ハンマー装置２０中に、また動力を出力するための工具伝動軸３０が装着される。
【００１３】
図３をさらに参照すると、図示のように、前記ハンマー装置２０は、回転座２１を有し、前記回転座２１に透孔２１１が横方向に形成されると共に、支持開口２１２が軸方向に形成され、その内、前記支持開口２１２が前記透孔２１１と相互に連通する。前記透孔２１１内に少なくとも１つのインパクトブロック（ハンマー）２２が装着され、当該インパクトブロック２２内に貫通孔２２１が軸方向に形成される。
【００１４】
図１、図４と図５をさらに参照すると、図示のように、前記工具伝動軸３０は、伝動軸機能に応じて順次にインパクト域３０１と、支持域３０２と、出力域３０３とを備えている。前記インパクト域３０１には、少なくとも１つのアンビル部３１と、少なくとも１つの弧凹部（小径部）３２とが設けられ、前記少なくとも１つのアンビル部３１と前記少なくとも１つの弧凹部３２との数は、前記少なくとも１つのインパクトブロック２２の数に応じて決定され、かつ前記少なくとも１つのアンビル部３１は、前記少なくとも１つのインパクトブロック２２に水平対応して設けられている。
【００１５】
前記出力域３０３と前記支持域３０２は、順次に前記動力工具Ａの前端に貫通されると共に、動力を出力するために供される。
【００１６】
本発明の好適な実施形態において、かかる工具伝動軸３０を前記動力工具Ａに対して円滑に運転させるように、前記支持域３０２は、円柱状に形成され、また、前記出力域３０３上を一般的に市販されているスリーブ（未図示）で容易に被覆するために、前記出力域３０３は、多辺形柱の形状である。かつ前記支持域３０２の外周円は、前記出力域３０３の外接円となるように形成される。
【００１７】
本発明の好適な実施形態において、前記出力域３０３の多辺形柱が四辺形柱である。前記出力域３０３と前記支持域３０２との連結箇所に対して傾斜する連結面３０４がまた設けられている。前記工具伝動軸３０内に直線状を呈する注油通路３３が形成され、前記注油通路３３の両端は、それぞれ注油口３３１と、油出口３３２とを有し、その内、前記注油口３３１は、出力域３０３に位置して、前記油出口３３２は、前記インパクト域３０１に向かうと共に、前記少なくとも１つのインパクトブロック（ハンマー）２２の貫通孔２２１と相互に連通する。前記注油通路３３の軸線と、前記工具伝動軸３０の軸線とが夾角を形成してなる。
【００１８】
なお、本発明の好適な実施形態において、前記夾角が鋭角である。
【００１９】
本発明の好適な実施形態において、前記注油口３３１は、前記連結面３０４上に位置し、かつ前記注油口３３１は、外部から内部に向かって孔径が漸次縮径して錐状の断面構造を成している。勿論、前記注油口３３１は、前記出力域３０３の多辺形柱の稜線上に設けられてもよい。
【００２０】
図１と図６をさらに参照すると、図示のように、使用者が潤滑油をハンマー装置２０に圧入しようとすると、まず、潤滑油を注油器４０内に充填して、次に注油器４０の前端から延出した注油管４１の自由端部を注油口３３１に突き当てた状態で、潤滑油を前記注油口３３１を介して前記注油通路３３内に注入すると共に、潤滑油を前記貫通孔２２１と弧凹部（小径部）３２とで形成された空間内に注入するまでに徐々に前向きに押圧することで、動力工具Ａの使用時に潤滑効果を与え、それによって工具伝動軸３０とハンマー装置２０との間の磨耗現象を有効に抑えることができ、動力工具Ａの使用寿命を延長することができる。図６から明らかに見て取れるように、注油の過程において、潤滑油を工具伝動軸３０に進入させて潤滑すべき部位（前記貫通孔２２１と弧凹部３２とで形成された空間）内に到達させるまで、直線状を呈して設けられた注油通路３３のみを通過するため、注油の過程において、折れ曲がった通路により生じる背圧を受ける（滞留を生じる）ことなく、時間と手間を省くことができるのみならず、同時に潤滑油の押し返し（逆流）が原因で注油口３３１付近に発生する汚染問題を回避することができる。また、従来使用していた工具伝動軸の注油口に不純物などによる汚染が起こりやすく、さらに甚だしい場合は注油口の閉塞を招く問題が発生し、これによって使用上の不便さを惹起させると共に、効率が低下してしまうおそれを克服することができる。
【００２１】
前記出力域３０３と前記支持域３０２との連結箇所に対して傾斜する連結面３０４がまた設けられ、前記連結面３０４により、前記出力域３０３と前記支持域３０２との間の構造強度が強化できる上、さらに削孔作業時には、削孔軸線と伝動軸軸線とでなす夾角によってドリルヘッドの破損が生じるトラブルを防止することができる。そのほか、前記工具伝動軸３０の構造強度が過度に弱化するのを回避するために、その上に切削された注油通路３３の直径寸法は、通常、３．０ｍｍを超えないこととする。さらに、前記注油通路３３を切削する前に、削孔の中心点を予め加工すれば、前記注油通路３３の切削時の破損が防止できる。かくして、本発明の加工方式は、まず、前記連結面３０４上に、注油通路３３の直径より大きい直径のドリルヘッドで錐状浅孔を切削してから、比較的小径のドリルヘッドで前記浅孔の最凹部の円心を注油通路３３の加工中心として前記注油通路３３を切削する。また、前記注油口３３１に錐状の加工断面を有させる。こうして、注油通路３３が正確に加工できるだけでなく、前記注油通路３３の軸線と前記工具伝動軸３０の軸線との間の夾角関係を維持し、その結果、前記油出口３３２の開設位置が確保できると同時に、ドリルヘッドの損耗も低減できる。
【００２２】
このほか、本発明は、錐状断面の注油口３３１を含むので、注油の過程において、環状斜面の案内作用により、注油管４１の自由端縁を前記注油口３３１の端面に完全にフィットさせることができるため、潤滑油の外部漏れ確率が低減できると同時に、外拡の錐状断面により、前記注油口３３１は、異なる直径を持つ注油管４１に合わせて使用することができ、工具伝動軸３０の潤滑作業時の適用範囲を拡大することができる。
【符号の説明】
【００２３】
Ａ：動力工具
１０：筐体
１１：握持部
１２：収容部
１３：モータ
２０：ハンマー装置
２１：回転座
２１１：透孔
２１２：支持開口
２２：インパクトブロック
２２１：貫通孔
３０：工具伝動軸
３０１：インパクト域
３０２：支持域
３０３：出力域
３０４：連結面
３１：アンビル部
３２：弧凹部
３３：注油通路
３３１：注油口
３３２：油出口
４０：注油器
４１：注油管
【図１】
2019155587.tif 000003
【図２】
2019155587.tif 000004
【図３】
2019155587.tif 000005
【図４】
2019155587.tif 000006
【図５】
2019155587.tif 000007
【図６】
2019155587.tif 000008